(57)【要約】      （修正有）【課題】視聴している番組から得られるデータ情報、もしくはユーザが視聴している番組から抽出した情報を印刷情報にする従来の手法にくらべ、印刷情報に他番組の情報を追加する事ができ、さらに、空きチューナ数が視聴していない番組数より少ない場合でも、より多くのデータ情報を収集することが可能とする。【解決手段】デジタル放送の電波に重畳して送信されたデータ放送を受信し、受信したデータ放送のデータ情報を抽出する。時分割で複数のチャンネルをザッピングするデジタル放送受信手段により抽出された複数のデータ情報を記憶し、所定のキーワードで検索されたデータ情報をコンテンツとして出力する。【選択図】図１
2014103604.tif 000002
【特許請求の範囲】
【請求項１】
デジタル放送の電波に重畳して送信されたデータ放送を受信するデジタル放送受信手段と、
前記デジタル放送受信手段により受信されたデータ放送から、データ情報を抽出するコンテンツ情報制御手段と、
前記コンテンツ情報制御手段より抽出したデータ情報を記憶するデータ情報記憶手段と、を有し、
前記データ情報記憶手段は、時分割で複数のチャンネルをザッピングする前記デジタル放送受信手段により得た複数のデータ情報を記憶し、
前記データ情報記憶手段で記憶されたデータ情報の中から、所定のキーワードでデータ情報を検索するデータ情報検索手段と、
前記データ情報検索手段で検索された所定のキーワードで検索されたデータ情報をコンテンツとして出力するコンテンツ出力手段と、
を有することを特徴とするコンテンツ出力装置。
【請求項２】
前記コンテンツ生成装置は、複数のデジタル放送受信手段を有し、
前記時分割で複数のチャンネルをザッピングする前記デジタル放送受信手段は、デジタル放送受信時に使用していないデジタル放送受信手段であることを特徴とする請求項１に記載のコンテンツ出力装置
【請求項３】
デジタル放送受信手段が、デジタル放送の電波に重畳して送信されたデータ放送を受信するデジタル放送受信ステップと、
コンテンツ情報制御手段が、前記デジタル放送受信ステップにより受信されたデータ放送から、データ情報を抽出するコンテンツ情報制御ステップと、
データ情報登録手段が、データ情報記憶手段に前記コンテンツ情報制御手段より抽出したデータ情報を登録するデータ情報登録ステップと、を有するコンテンツ出力方法であって、
前記データ情報登録ステップは、時分割で複数のチャンネルをザッピングする前記デジタル放送受信ステップにより得た複数のデータ情報を登録し、
データ情報検索手段が、前記データ情報記憶手段のデータ情報の中から、所定のキーワードでデータ情報を検索するデータ情報検索ステップと、
コンテンツ出力手段は、前記データ情報検索ステップで検索された所定のキーワードで検索されたデータ情報をコンテンツとして出力するコンテンツ出力ステップと、
を有することを特徴とするコンテンツ出力方法。
【請求項４】
デジタル放送の電波に重畳して送信されたデータ放送を受信するデジタル放送受信手段と、
前記デジタル放送受信手段により受信されたデータ放送から、データ情報を抽出するコンテンツ情報制御手段と、
前記コンテンツ情報制御手段より抽出したデータ情報を記憶するデータ情報記憶手段と、を有し、
前記データ情報記憶手段は、時分割で複数のチャンネルをザッピングする前記デジタル放送受信手段により得た複数のデータ情報を記憶し、
前記データ情報記憶手段で記憶されたデータ情報の中から、所定のキーワードでデータ情報を検索するデータ情報検索手段と、
前記データ情報検索手段で検索された所定のキーワードで検索されたデータ情報をコンテンツとして出力するコンテンツ出力手段
として情報処理装置を機能させることを特徴とするプログラム。
【請求項５】
請求項４に記載のプログラムをコンピュータ読み取り可能に記憶した記録媒体。
【発明の詳細な説明】
【技術分野】
【０００１】
本発明は、デジタル放送などを介して取得された情報等を用いて印刷用のコンテンツを出力するコンテンツ出力装置、コンテンツ出力方法、プログラム並びに記憶媒体に関する。
【背景技術】
【０００２】
近年のデジタル放送では、映像・音声データ以外にも、文字データ等のデータ情報もデータ放送として送信されている。このデータ放送によって送信されるデータ情報は、受信端末によって受信及び解釈され、専用ブラウザおよび表示装置を介してユーザに提示される。
【０００３】
送信されるデータ情報の中には、ユーザが印刷して確認したい情報のある場合がある。例えば、料理のレシピや懸賞応募の送付先など、送信されたデータ情報を後から確認したい場合などである。そのために特許文献１のように、送られてきたデータ情報を解釈して印刷を行う技術が提案されている。
【０００４】
また、特許文献２では、視聴しているテレビ番組のデータ情報及び映像から、ユーザが取捨選択した印刷データを生成する技術が提案されている。
【特許文献１】特開２００２−１５８９７９号公報
【特許文献２】特表２００７−５２８６２９号公報
【発明の開示】
【発明が解決しようとする課題】
【０００５】
特許文献１および２は共に、ユーザが視聴している番組のデータ情報を取得している。しかしながら、データ放送は視聴している番組以外のチャンネル（裏番組など）でも常時送信されており、気付かないうちにユーザの嗜好に合ったデータを逃している場合がある。
【０００６】
また、裏番組のデータ情報などを逃さないために、多数のチャンネルの情報を記憶するシステムも実装されているが、多数のチャンネルの情報を受信するために多数のチューナが必要となり、また保存される情報量も増えるため、安価なシステムでは実現が難しい。
【０００７】
本発明は、上記課題を解決するものであり、チューナの数が少ないテレビでも、裏番組を含むデータ情報を受信し、ユーザの嗜好に合った印刷用のコンテンツを出力可能なコンテンツ出力装置を提供することを目的とする。
【課題を解決するための手段】
【０００８】
本発明は、デジタル放送の電波に重畳して送信されたデータ放送を受信するデジタル放送受信手段と、前記デジタル放送受信手段から、データ放送のデータ情報を抽出するコンテンツ情報制御手段と、前記コンテンツ情報制御手段より抽出したデータ情報を記憶するデータ情報記憶手段と、を有し、前記データ情報記憶手段は、時分割で複数のチャンネルをザッピングする前記デジタル放送受信手段により得た複数のデータ情報を記憶し、前記データ情報記憶手段で記憶されたデータ情報の中から、所定のキーワードでデータ情報を検索するデータ情報検索手段と、前記データ情報検索手段で検索された所定のキーワードで検索されたデータ情報をコンテンツとして出力するコンテンツ出力手段と、を有することを特徴とする。
【発明の効果】
【０００９】
本発明によって、視聴している番組から得られるデータ情報、もしくはユーザが視聴している番組から抽出した情報を印刷情報にする従来の手法にくらべ、印刷情報に他番組の情報を追加する事ができ、さらに、空きチューナ数が視聴していない番組数より少ない場合でも、より多くのデータ情報を収集することが可能となる。
【図面の簡単な説明】
【００１０】
【図１】本願発明の実施の形態におけるコンテンツ出力システムのシステム構成の一例を示す図である。
【図２】本発明実施形態におけるデータ情報の収集処理手順の一例を示すシーケンスチャートである。
【図３】本発明実施形態における印刷コンテンツ出力手順の一例を示すシーケンスチャートである。
【図４】本発明実施形態における文字データを管理する文字データＤＢ１５１のテーブルの一例を示した模式図である。
【図５】本発明実施形態における画像データを管理する画像データＤＢ１５１のテーブルの一例を示した模式図である。
【図６】本発明実施形態における放送受信部１０２のデジタルチューナの番組（チャンネル）に対する割り振りを示す模式図である。
【図７】本発明実施形態における、コンテンツ情報をディスプレイ２３１に出力させた一例を示す模式図である。
【図８】本発明実施形態における、コンテンツ情報をディスプレイ２３１に出力させた一例を示す模式図である。
【図９】本発明実施形態における、コンテンツ情報をディスプレイ２３１に出力させた一例を示す模式図である。
【図１０】本発明実施形態における、印刷コンテンツ情報を紙面に印刷したイメージを示す一例の模式図である。
【発明を実施するための形態】
【００１１】
以下、図面を参照して、本発明の実施の形態の一例を説明する。
【００１２】
図１は、本願発明の実施の形態におけるコンテンツ出力システムのシステム構成の一例を示す図である。
【００１３】
図１に示す通り、本発明の実施の形態におけるコンテンツ出力システムは、コンテンツ出力装置１００、プリンタ２００、アンテナ２２０、ディスプレイ２３１、スピーカ２３２、リモコン２６０を備える。
【００１４】
なお、本実施例では、コンテンツ出力装置１００やディスプレイ２３１、プリンタ２００などを各装置の機能を明らかにするために別々の構成として記載しているが、これらの装置は一つの装置で構成されていても良いし、複数の構成に分かれていても良い。例えば、コンテンツ出力装置１００とディスプレイ２３１とが一つの筐体で構成されていても良いし、コンテンツ出力装置１００とプリンタ２００とが一つの筐体で構成されていても良い。
【００１５】
コンテンツ出力装置１００は、放送受信部１０２を有し、放送受信部１０２は、複数のデジタルチューナ１２１〜１２４を有する。なお、以後の説明では、複数のデジタルチューナを有することを前提に記載するが、デジタルチューナは一つだけでも良い。
【００１６】
また、コンテンツ出力装置１００は、システム制御部１０１や、映像・音声出力部１０３、外部Ｉ／Ｆ部１０６、コンテンツ情報制御部１０４、データ蓄積部１０５などを有する。
【００１７】
放送受信部１０２は、アンテナ２２０からデジタル放送を受信すると、受信した電波情報をデジタルチューナ１２１〜１２４に送信し、デジタル放送情報の復調を命令する。
【００１８】
命令を受けたデジタルチューナ１２１〜１２４は、受信した電波情報を復調し、復調した映像情報、音声情報およびデータ情報をシステム制御部１０１に送信する。
【００１９】
システム制御部１０１は、復調された映像情報、音声情報およびデータ情報を、画像音声処理ＬＳＩ１１１やデータ処理ＬＳＩ１１２により、映像情報、音声情報及びデータ情報に分割して、それぞれ映像・音声出力部１０３及びコンテンツ制御部１０４に送信する。
【００２０】
映像情報および音声情報を受信した映像・音声出力部１０３は、映像・音声出力部１０３が有する映像エンジン１３１や音声出力１３２にそれぞれの情報を渡し、ディスプレイ２３１やスピーカ２３２へと出力する。
【００２１】
一方、システム制御部１０１によって、コンテンツ制御部１０４に送られたデータ情報は、コンテンツ制御部１０４内のデータ記憶処理部１４１により、データ蓄積部１０５に記憶される。
【００２２】
データ蓄積部１０５に蓄積される情報は、文字データを管理する文字データＤＢ１５１と画像データを管理する画像データＤＢ１５２に分けられる。それぞれのデータ例について、図４、図５を参照して説明する。
【００２３】
図４は、本発明実施形態における文字データを管理する文字データＤＢ１５１のテーブルの一例を示した模式図である。
【００２４】
図４の４００は文字データＤＢのテーブルの一例であり、データＩＤ４０１が文字データＤＢのユニークなキーである。文字データ４０２欄に登録されている文字データが、デジタル放送で受信した文字のデータ情報である。
【００２５】
図５は、本発明実施形態における画像データを管理する画像データＤＢ１５１のテーブルの一例を示した模式図である。
【００２６】
図５の５００は画像データＤＢのテーブルの一例であり、画像ＩＤ５０１が画像データＤＢのユニークなキーである。画像データはデータＩＤ欄５０２に登録されているデータＩＤと図４のデータＩＤ４０１により、文字データＤＢと紐付けられている。
図１のシステム構成図の説明に戻る。
【００２７】
図１のコンテンツ情報制御部１０４は、データ記憶処理１４１のほかにデータ検索処理１４２を有しており、データ検索処理１４２は、ユーザからの入力に基づいてデータ蓄積部１０５から文字データを検索し，関連するデータ情報を取得する。
【００２８】
また、コンテンツ情報制御部１０４は、印刷情報生成処理１４３を有しており、印刷情報生成処理１４３は、データ検索処理１４２でデータ蓄積部１０５から取得したデータ情報を印刷形式の情報に成形する。
【００２９】
また、コンテンツ情報制御部１０４は、外部Ｉ／Ｆ部１０６を有しており、外部のユーザからの指示や、プリンタなどへの情報送信を行う。
【００３０】
外部Ｉ／Ｆ部１０６は、リモコン受信部１６３を有し、リモコン２６０からのユーザの指示を受け付ける。また、外部Ｉ／Ｆ部１０６は、ＬＡＮポート１６１やＵＳＢポート１６２を有しており、ＬＡＮポート１６１やＵＳＢポート１６２からプリンタ２００へ情報を送信し、プリンタ２００は、コンテンツ情報制御部１０４の印刷情報生成処理１４３により生成された情報を出力する。
【００３１】
以下、図２〜図１０を参照して、図１で示したコンテンツ出力システムのコンテンツ出力装置１００で行われるコンテンツ出力処理について説明する。
【００３２】
図２は、本発明実施形態におけるデータ情報の収集処理手順の一例を示すシーケンスチャートであり、図１で示したコンテンツ出力装置１００の各処理部が動作する処理に対応する。なお、図中、Ｓ２０１〜Ｓ２０９は各ステップを示す。
【００３３】
図２のシーケンスチャートは、コンテンツ出力装置１００が、ユーザからの指示によりデジタル放送を視聴し始める際に開始される。なお、このシーケンスチャートはユーザからの指示により開始されなくても良く、デジタル放送を受信できる状態になった段階で自動的に開始されても良い。
【００３４】
まず、ステップＳ２０１において、コンテンツ出力装置１００のシステム制御部１０１は、ユーザからデジタル放送の視聴要求を受け付ける。
【００３５】
次に、コンテンツ出力装置１００のシステム制御部１０１は、ステップＳ２０２において、デジタル放送の受信を開始するために、放送受信部１０２へデジタル放送受信開始を命令する。
【００３６】
次に、コンテンツ出力装置１００の放送受信部１０２は、ステップＳ２０３において、デジタルチューナ１２１から１２４の中からデジタルチューナを一つ選び、そのデジタルチューナ（図２の場合１２１）に視聴番組のデジタル放送情報を送信して電波情報の復調命令を送信する。
【００３７】
次に、コンテンツ出力装置１００の視聴デジタルチューナ１２１は、ステップＳ２０５において、デジタル放送情報を復調し、システム制御部１０１へ復調した映像情報・音声情報及びデータ情報を送信する。
【００３８】
また、コンテンツ出力装置１００の放送受信部１０２は、ステップＳ２０４において、余っているデジタルチューナ（図２の場合、１２２から１２４）に、「視聴かつ録画」していない番組のデジタル放送情報を送信して、同じく電波情報の復調命令を送信する。
【００３９】
ステップＳ２０４の処理の際、デジタルチューナの数は、デジタル放送されている番組数より少ない場合が多く、通常は視聴もしくは録画している番組以外のデータ情報を受信することは難しいが、本発明では、デジタルチューナの数がデジタル放送されている番組数より少ない場合でも、他の多くの番組のデータ情報を受信することができる。ステップＳ２０３でのデータ情報の受信方法を図６を参照して説明する。
【００４０】
図６は、本発明実施形態における放送受信部１０２のデジタルチューナの番組（チャンネル）に対する割り振りを示す模式図である。なお、図６では、放送受信部１０２は、４つのデジタルチューナを有していて、１つの番組を視聴中、１つの番組を録画中、２つのデジタルチューナが空いているという状況とする。
【００４１】
図６の６００は、時間軸を示し、矢印方向に時間が経過していくことを示す。また、縦軸に並んだ６０１〜６０４は、デジタルチューナが受信している番組情報を記載している。なお、６０１〜６０４の軸がそれぞれ１２１〜１２４に該当する。なお、図中のｃｈとはデジタル放送のチャンネルを示し、ｃｈ１とは例えば、チャンネル１を示すものとする。
【００４２】
図６の６０１と６０２は、それぞれ番組を視聴中（ｃｈ１）または録画中（ｃｈ２）のイメージである。
【００４３】
６０３と６０４は、非視聴番組（図６ではｃｈ３〜ｃｈ１０）のデータ情報を時分割で受信する処理（ザッピング）を示した図である。それぞれのデジタルチューナで非視聴番組を割り振り、時分割で受信することにより、デジタル放送に時分割で復調し、含まれるデータ情報を抽出する。
【００４４】
６０１や６０２のように、ユーザが視聴もしくは録画する場合、デジタル放送に含まれる当該番組の映像・音声情報を復調する必要があるため、デジタルチューナを常に占有する必要がある、
【００４５】
しかし、デジタル放送で送信されるデータ情報は、一定間隔で更新される情報であるため、常に同じ番組にデジタルチューナを占有させておく必要はなく、１つのデジタルチューナで６０３や６０４のように複数の番組のデータ情報を取得することが可能である。
【００４６】
例えば、図６では、空きチューナである６０３は、６０５のようにｃｈ３に設定されており、６０５の幅の時間だけｃｈ３の番組を受信する。ｃｈ３の番組のデータ情報をシステム制御部１０１が受信すると、次に、６０６のように、ｃｈ５の番組を受信する。以上のように、視聴していない番組を順番に受信し、データ情報を収集することが可能となる。
図２のシーケンスチャートの説明に戻る。
【００４７】
図２のステップＳ２０４において、空きチューナ１２２〜１２４（図６では、６０３，６０４）は、デジタル放送情報を時分割で受信すると、それぞれの時分割時間内で復調し、ステップＳ２０６において、システム制御部１０１へ復調した映像情報・音声情報及びデータ情報を送信する。なお、システム制御部１０１に送信する情報は、非視聴番組なのでデータ情報だけでも良い。
【００４８】
次に、ステップＳ２０７において、コンテンツ出力装置１００のシステム制御部１０１は、ステップＳ２０５で受信した映像情報・音声情報及ぶデータ情報を映像・音声出力部１０３に送信し、映像・音声出力部１０３は、ディスプレイ２３１やスピーカ２３２に情報を送信して、ユーザに視聴させる。
【００４９】
また、ステップＳ２０８において、コンテンツ出力装置１００のシステム制御部１０１は、ステップＳ２０５やステップＳ２０６で受信したデータ情報をコンテンツ情報制御部１０４に送信する。なお、ステップＳ２０８の処理はステップＳ２０６でデータ情報を受信するたびに行われる処理である。
【００５０】
次に、コンテンツ出力装置１００のコンテンツ情報制御部１０４は、ステップＳ２０９において、ステップＳ２０８で受信したデータ情報をデータ蓄積部１０５に記憶させるため、データ蓄積部１０５にデータ情報を送信する。送信されたデータ情報は、データ蓄積部１０５において、文字データＤＢ１５１や画像データＤＢ１５２に記憶される。なお、文字データＤＢ１５１に記憶される際には、受信した日時、チャンネル、番組情報などのプロファイル情報を付加し記憶する。
【００５１】
以上の処理により、デジタル放送の視聴番組、非視聴番組にかかわらず、また、デジタルチューナの数に依存せずに、多くのデジタル放送のデータ情報を受信することができる。
【００５２】
なお、データ蓄積部１０５に記憶されるデータ情報は、そのデータが更新されるたびに新たな情報として記憶していっても良い。また、蓄積されたデータ情報は、メモリの圧迫を防ぐために受信した日時からある程度の期間が経過したら（例えば１ヶ月）、削除するようにしても良い。
【００５３】
次に、印刷コンテンツを出力する処理の流れを図３を参照して説明する。
【００５４】
図３は、本発明実施形態における印刷コンテンツ出力手順の一例を示すシーケンスチャートであり、図１で示したコンテンツ出力装置１００の各処理部が動作する処理に対応する。なお、図中、Ｓ３０１〜Ｓ３２１は各ステップを示す。
【００５５】
図３のシーケンスチャートは、ユーザがデジタル放送を視聴中などに、視聴中の番組のデータ情報を印刷コンテンツとして欲しい場合に、コンテンツ出力装置１００にユーザが印刷コンテンツの生成を指示した時点で開始される。
【００５６】
まず、ステップＳ３０１において、コンテンツ出力装置１００の外部Ｉ／Ｆ部１０６は、ユーザから印刷コンテンツ生成指示を受け付け、その指示をステップＳ３０２において、コンテンツ出力装置１００のシステム制御部１０１に送信する。
【００５７】
次に、ステップＳ３０３において、コンテンツ出力装置１００のシステム制御部１０１は、コンテンツ情報制御部１０４に、デフォルトのコンテンツ情報の生成を指示する。
【００５８】
デフォルトのコンテンツ情報の生成指示により、コンテンツ情報制御部１０４は、ステップＳ３０４において、デフォルトコンテンツ情報を生成し、システム制御部１０１に送信する。なお、生成するデフォルトコンテンツ情報はコンテンツ情報制御部１０４に記憶しておく。
【００５９】
デフォルトコンテンツ情報を受信したシステム制御部１０１は、ステップＳ３０５において、生成されたデフォルトコンテンツ情報をディスプレイ２３１に表示させるために、映像・音声出力部１０３にデフォルトコンテンツ情報を送信する。ディスプレイ２３１に表示したデフォルトコンテンツ情報の例を図７を参照して説明する。
【００６０】
図７は、本発明実施形態における、コンテンツ情報をディスプレイ２３１に出力させた一例を示す模式図である。
【００６１】
図７の７００はディスプレイ２３１に印刷コンテンツの内容を表示したもので、７０１に表示されたイメージが、実際に印刷されるコンテンツのイメージとなる。なお、図７の７００はディスプレイの全面に表示させても良いし、ディスプレイの隅などに小さく表示させても良い。
【００６２】
図７の７００の状態でリモコン上の印刷ボタン７０３と同じ形状のボタンを押すと、印刷を開始し、デフォルトコンテンツ情報７０１がプリンタ２００から出力される。図３のシーケンスチャートの説明に戻る。
【００６３】
続いて、ステップＳ３０６において、コンテンツ出力装置１００の外部Ｉ／Ｆ部１０６は、ユーザからコンテンツ情報内の検索キーワード情報を受け付け、検索指示を受けて、その指示をステップＳ３０７において、コンテンツ出力装置１００のシステム制御部１０１に送信する。検索指示を受け付ける画面イメージを図７を参照して説明する。
【００６４】
図７のディスプレイ２３１上の画面７００において、リモコンのカーソル機能（７０４と同じ形状のボタン）を利用してキーワードを選択し、リモコン上の検索ボタン７０５と同じ形状のボタンを押すことにより、検索指示を受け付ける。図７の例では、７０２の「サツマイモ」と言う単語が選択対象としてハイライト表示されている。ここで、検索ボタン７０５と同じ形状のボタンを押下すると、「サツマイモ」と言う単語が検索キーワード情報として、外部Ｉ／Ｆ部１０６に受け付けられる。
【００６５】
なお、ユーザがこれまでに印刷してきた情報（料理番組の情報であれば、「料理」など）のキーワードをコンテンツ情報制御部１０４に記憶しておいて、検索キーワード入力を受け付ける前に、リモコン上の検索ボタン７０５と同じ形状のボタンが押されることにより、システム制御部１０１がコンテンツ情報制御部１０４からキーワード（前記の場合は「料理」）を取得しても良い。
【００６６】
前記検索キーワードの自動取得を利用すれば、ユーザの嗜好に合ったデータ情報の自動取得が可能となる。
図３のフローチャートの説明に戻る。
【００６７】
ステップＳ３０７で、検索キーワードと検索指示を受け付けたシステム制御部１０１は、ステップＳ３０８において、コンテンツ情報制御部１０４にデータ情報の検索指示を送信する。
【００６８】
次に、ステップＳ３０９において、コンテンツ情報制御部１０４は、データ蓄積部１０５のデータから、ステップＳ３０７で受け付けた検索キーワードを使用して検索を実行する。
【００６９】
ステップＳ３０９での検索の結果、コンテンツ情報制御部１０４は、ステップＳ３１０において検索した結果の情報を受信する。受信する検索結果の例を図８を参照して説明する。
【００７０】
図８は、本発明実施形態における、コンテンツ情報をディスプレイ２３１に出力させた一例を示す模式図である。
【００７１】
図８の８０１が検索結果の例で、検索キーワードに「サツマイモ」というキーワードが指定された場合の検索結果のイメージである。８０２や８０３などが１つ１つの検索結果である。図３のフローチャートの説明に戻る。
【００７２】
ステップＳ３１０で、検索結果を受信すると、ステップＳ３１１において、コンテンツ情報制御部１０４は、システム制御部１０１に検索結果を送信する。
【００７３】
検索結果を受信したシステム制御部１０１は、ステップＳ３１２において、検索結果をディスプレイ２３１に表示させるために、映像・音声出力部１０３に送信する。ディスプレイ２３１に表示した検索結果の例を図８を参照して説明する。
【００７４】
図８の８００がディスプレイ２３１に検索結果を表示したもので、８０１に表示されたイメージが、実際に検索されたコンテンツのイメージとなる。１つ１つの検索結果は８０２や８０３などに該当する。なお、図８の８００の画像も、図７の７００と同じようにディスプレイの全面に表示させても良いし、ディスプレイの隅などに小さく表示させても良い。図３のシーケンスチャートの説明に戻る。
【００７５】
続いて、ステップＳ３１３において、コンテンツ出力装置１００の外部Ｉ／Ｆ部１０６は、ステップＳ３１２の検索結果から、ユーザの選択によりコンテンツの選択を受け付け、ユーザの選択結果を受けて、選択されたコンテンツ（選択項目）をステップＳ３１４において、システム制御部１０１に送信する。ユーザの選択を受け付ける画面イメージを図８を参照して説明する。
【００７６】
図８のディスプレイ２３１上の画面８００において、リモコン上のカーソル機能（８０４と同じ形状のボタン）を利用して検索結果のリストの中からユーザが所望の検索結果を選択する。検索結果を選択後、リモコン上の追加ボタン８０５と同じ形状のボタンをユーザが押下するなどして、検索結果の中から選択された項目をシステム制御部１０１に送信する。図８の例では、８０６の範囲が選択対象としてハイライトされているので、「ＡＢＣグルメ」という番組のお取り寄せ情報が選択されている。８００の様な画面の場合に、追加ボタン８０５と同じ形状のリモコン上のボタンが押下されると、番組名：「ＡＢＣグルメ」の「お取り寄せ情報」のデータ情報が選択項目として、システム制御部１０１ｎ送信される。図３のフローチャートの説明に戻る。
【００７７】
ステップＳ３１４において、システム制御部１０１は、外部Ｉ／Ｆ部１０６からユーザの所望する検索結果の選択項目を受信すると、ステップＳ３１５において、コンテンツ情報制御部１０４に選択項目の情報を送信する。
【００７８】
コンテンツ情報制御部１０４は、検索結果の選択項目を受信すると、ステップＳ３１６において、選択された項目の番組のデータ情報の印刷コンテンツを生成し、システム制御部１０１に送信する。なお、ここで生成された印刷コンテンツは、コンテンツ情報制御部１０４に記憶される。
【００７９】
印刷コンテンツを受信したシステム制御部１０１は、ステップＳ３１７において、受信した印刷コンテンツ情報をディスプレイ２３１に表示させるために、映像・音声出力部１０３に送信する。ディスプレイ２３１に表示した検索結果の例を図９を参照して説明する。
【００８０】
図９は、本発明実施形態における、コンテンツ情報をディスプレイ２３１に出力させた一例を示す模式図である。
【００８１】
図９の９００はディスプレイ２３１に印刷コンテンツの内容を表示したもので、９０１に表示されたイメージが、実際に印刷されるコンテンツのイメージとなる。なお、図９の９００の画像も、図７の７００と同じようにディスプレイの全面に表示させても良いし、ディスプレイの隅などに小さく表示させても良い。
【００８２】
図９の９００の画像が表示されている状態で、リモコン上の決定ボタン９０２と同じ形状のボタンをユーザが押下するなどの操作をすると、表示中の印刷コンテンツが決定される。図３のシーケンスチャートの説明に戻る。
【００８３】
続いて、図３のステップＳ３１８において、コンテンツ出力装置１００の外部Ｉ／Ｆ部１０６は、ユーザからの印刷指示を受け付け、受け付けた印刷指示をステップＳ３１９において、システム制御部１０１に送信する。ユーザの印刷指示を受け付ける画面イメージを図９を参照して説明する。
【００８４】
図９の９００の画面イメージにおいて、リモコン上の印刷ボタン９０３と同じ形状のボタンをユーザが押下するなどの操作をすると、それまで蓄積されている印刷コンテンツ情報を印刷する指示がシステム制御部１０１に送信される。なお、印刷ボタン９０３は、図９の９００のタイミングで押下しても良いし、図７の７００の画面に戻った後で押されても良い。図３のフローチャートの説明に戻る。
【００８５】
ステップＳ３１９で印刷指示を受信したシステム制御部１０１は、ステップＳ３２０において、印刷コンテンツの印刷指示を送信する。
【００８６】
印刷指示を受信したコンテンツ情報制御部１０４は、ステップＳ３２１において、記憶しているデフォルトコンテンツ情報並びにステップＳ３１６で生成した印刷コンテンツ情報を印刷する指示を外部Ｉ／Ｆ部１０６を通じてプリンタ２００に送信する（ステップＳ３２２）。印刷結果の例を図１０を参照して説明する。
【００８７】
図１０は、本発明実施形態における、印刷コンテンツ情報を紙面に印刷したイメージを示す一例の模式図である。
【００８８】
図１０の１０００は、紙面に印刷した印刷コンテンツ情報のイメージ図であり、デフォルトコンテンツ情報として１００１が出力されている。また、後から検索したデータ情報が、１００２のように出力されている。
【００８９】
以上のように、リアルタイムもしくは録画している番組のデータ情報のみではなく、視聴していない番組のデータ情報までも出力することが可能になるコンテンツ出力装置を提供することができる。また、デジタルチューナが非視聴番組の数よりも少ない場合でも、多くの番組のデータ情報を受信し、印刷コンテンツや表示コンテンツに出力することが可能なコンテンツ出力装置を提供することができる。
【００９０】
以上、一実施形態について示したが、本発明は、例えば、通常のテレビ以外にも、情報処理装置、方法、プログラムもしくは記録媒体等としての実施態様をとることが可能であり、具体的には、複数の機器から構成されるシステムに適用しても良いし、また、一つの機器からなる装置に適用しても良い。
【００９１】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９２】
さらに、各種プログラムに従属するデータもディレクトリなどに管理されている。また、インストールするプログラムやデータが圧縮されている場合に、解凍するプログラム等も記憶される場合もある。
【００９３】
本実施形態におけるシーケンスチャートに示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００９４】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００９５】
この場合、記録媒体から読み出されたプログラムコード自体が本発明の新規な機能を実現することになり、そのプログラムコードを記憶した記録媒体は本発明を構成することになる。
【００９６】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９８】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１００】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０１０１】
なお、上述した各実施形態およびその変形例を組み合わせた構成も全て本発明に含まれるものである。
【符号の説明】
【０１０２】
１００  コンテンツ出力装置
１０１  システム制御部
１０２  放送受信部
１０３  映像・音声出力部
１０４  コンテンツ情報制御部
１０５  データ蓄積部
１０６  外部Ｉ／Ｆ部
１１２  データ処理ＬＳＩ
１２１〜１２４  デジタルチューナ
１４１  データ記憶処理
１４２  データ検索処理
１４３  印刷情報生成処理
１５１  文字データＤＢ
１５２  画像データＤＢ
１６１  ＬＡＮポート
１６２  ＵＳＢポート
１６３  リモコン受信部
２００  プリンタ
２２０  アンテナ
２６０  リモコン
【図１】
2014103604.tif 000003
【図２】
2014103604.tif 000004
【図３】
2014103604.tif 000005
【図４】
2014103604.tif 000006
【図５】
2014103604.tif 000007
【図６】
2014103604.tif 000008
【図７】
2014103604.tif 000009
【図８】
2014103604.tif 000010
【図９】
2014103604.tif 000011
【図１０】
2014103604.tif 000012